(57)【要約】      （修正有）【課題】キャリアアグリゲーション機能を有する移動機における温度を制御するための技術を提供する。【解決手段】キャリアアグリゲーション機能を有する移動機１００であって、基地局との間で無線信号を送受信する送受信部１１０と、当該移動機の温度を検知し、前記検知した温度が所定の停止閾値以上であるか判定する温度検知部１２０と、前記基地局により提供されるプライマリセル及びセカンダリセルの無線品質を測定する無線品質測定部１３０と、前記基地局によって当該移動機に設定されたプライマリセル及びセカンダリセルを制御するキャリアアグリゲーション制御部１４０とを有し、前記検知した温度が所定の停止閾値以上であると前記温度検知部が判定した場合、前記キャリアアグリゲーション制御部は、前記設定されているセカンダリセルの利用を停止するためのセル制限処理を実行する。【選択図】図２
2014216909.tif 000002
【特許請求の範囲】
【請求項１】
キャリアアグリゲーション機能を有する移動機であって、
基地局との間で無線信号を送受信する送受信部と、
当該移動機の温度を検知し、前記検知した温度が所定の停止閾値以上であるか判定する温度検知部と、
前記基地局により提供されるプライマリセル及びセカンダリセルの無線品質を測定する無線品質測定部と、
前記基地局によって当該移動機に設定されたプライマリセル及びセカンダリセルを制御するキャリアアグリゲーション制御部と、
を有し、
前記検知した温度が所定の停止閾値以上であると前記温度検知部が判定した場合、前記キャリアアグリゲーション制御部は、前記設定されているセカンダリセルの利用を停止するためのセル制限処理を実行する移動機。
【請求項２】
前記検知した温度が所定の停止閾値以上であると前記温度検知部が判定した場合、前記キャリアアグリゲーション制御部は、前記測定された無線品質より低い測定値を前記基地局に報告するよう前記送受信部に指示する、請求項１記載の移動機。
【請求項３】
前記キャリアアグリゲーション制御部は、前記基地局から前記セカンダリセルを削除又は変更するための指示を受信するまで、前記低い測定値を前記基地局に報告するよう前記送受信部に指示し続ける、請求項２記載の移動機。
【請求項４】
前記無線品質測定部は、前記セカンダリセルの電力レベルを測定し、
前記検知した温度が所定の停止閾値以上であると前記温度検知部が判定した場合、前記キャリアアグリゲーション制御部は、前記測定されたセカンダリセルの電力レベルが所定の閾値以下であると前記基地局に報告するよう前記送受信部に指示する、請求項２又は３記載の移動機。
【請求項５】
前記検知した温度が所定の停止閾値以上であると前記温度検知部が判定した場合、前記キャリアアグリゲーション制御部は、前記プライマリセルと前記セカンダリセルとを入れ替えるためのハンドオーバを促すため、前記測定されたプライマリセルの電力レベルが所定の閾値以下であると前記基地局に報告するよう前記送受信部に指示する、請求項２又は３記載の移動機。
【請求項６】
前記セル制限処理は、前記セカンダリセルとの通信のための無線処理を前記送受信部に停止させるための処理である、請求項１記載の移動機。
【請求項７】
前記キャリアアグリゲーション制御部は、前記セル制限処理の実行後、前記検知した温度が所定の復帰閾値以下に低下するまで、前記セカンダリセルに対して測定された無線品質を前記基地局に送信することを留保する、請求項１乃至６何れか一項記載の移動機。
【請求項８】
キャリアアグリゲーション機能を有する移動機における通信制御方法であって、
前記移動機の温度を検知するステップと、
前記検知した温度が所定の停止閾値以上であるか判定するステップと、
前記検知した温度が所定の停止閾値以上であると判定されると、基地局によって前記移動機に設定されているセカンダリセルの利用を停止するためのセル制限処理を実行するステップと、
前記移動機の温度が所定の復帰閾値以下に低下したか判定するステップと、
前記移動機の温度が所定の復帰閾値以下に低下したと判定されると、前記セル制限処理を終了するステップと、を有する通信制御方法。
【請求項９】
前記セル制限処理を実行するステップは、前記測定された無線品質より低い測定値を前記基地局に報告することを含む、請求項８記載の通信制御方法。
【発明の詳細な説明】
【技術分野】
【０００１】
本発明は、無線通信技術に関し、より詳細には、キャリアアグリゲーションを利用した無線通信に関する。
【背景技術】
【０００２】
現在、３ＧＰＰ（３ｒｄ  Ｇｅｎｅｒａｔｉｏｎ  Ｐａｒｔｎｅｒｓｈｉｐ  Ｐｒｏｊｅｃｔ）は、ＬＴＥ（Ｌｏｎｇ  Ｔｅｒｍ  Ｅｖｏｌｕｔｉｏｎ）の次世代の通信規格として、ＬＴＥ−Ａｄｖａｎｃｅｄの標準化を進めている。ＬＴＥ−Ａｄｖａｎｃｅｄシステムでは、ＬＴＥシステムとのバックワードコンパチビリティを確保しつつ、ＬＴＥシステムを上回るスループットを実現するため、キャリアアグリゲーション（Ｃａｒｒｉｅｒ  Ａｇｇｒｅｇａｔｉｏｎ：ＣＡ）技術が導入される。キャリアアグリゲーションでは、ＬＴＥシステムによりサポートされている５ＭＨｚの帯域幅を基本コンポーネントとする５ＭＨｚ、１０ＭＨｚ、２０ＭＨｚなどの帯域幅を有するコンポーネントキャリアを同時に複数用いることによって、より広帯域な通信を実現することが図られている。
【０００３】
例えば、キャリアアグリゲーションでは、隣接する２０ＭＨｚの２つの帯域が、キャリアアグリゲーションによって４０ＭＨｚの帯域として利用される。この場合、２０ＭＨｚより大きな連続する帯域を確保可能となり、ＬＴＥシステムとのバックワードコンパチビリティを確保しつつ、ＬＴＥシステムを上回るスループットを実現することができる。他の例として、離間した２０ＭＨｚの２つの帯域が、キャリアアグリゲーションによって４０ＭＨｚの帯域として利用される。このようにして、事業者への周波数帯域の割当てが断片的であるケースなどにおいて、ＬＴＥシステムとのバックワードコンパチビリティを確保しつつ、ＬＴＥシステムを上回るスループットを実現することができる。
【０００４】
キャリアアグリゲーションでは、移動機又はユーザ装置（Ｕｓｅｒ  Ｅｑｕｉｐｍｅｎｔ：ＵＥ）は、複数のコンポーネントキャリアを同時に用いて基地局（ｅｖｏｌｖｅｄ  ＮｏｄｅＢ：ｅＮＢ）と通信することが可能である。キャリアアグリゲーションでは、移動機との接続性を担保する信頼性の高いプライマリセル（Ｐｒｉｍａｒｙ  Ｃｅｌｌ：ＰＣｅｌｌ）と、プライマリセルに接続中の移動機に追加的に設定されるセカンダリセル（Ｓｅｃｏｎｄａｒｙ  Ｃｅｌｌ：ＳＣｅｌｌ）とが設定される。
【０００５】
プライマリセルは、ＬＴＥシステムと同様のセルであり、移動機とネットワークとの間の接続性を担保するためのセルである。すなわち、プライマリセルでは、移動機は、ＰＤＣＣＨ（Ｐｈｙｓｉｃａｌ  Ｄｏｗｎｌｉｎｋ  Ｃｏｎｔｒｏｌ  Ｃｈａｎｎｅｌ）やＰＤＳＣＨ（Ｐｈｙｓｉｃａｌ  Ｄｏｗｎｌｉｎｋ  Ｓｈａｒｅｄ  Ｃｈａｎｎｅｌ）を受信し、ＰＵＣＣＨ（Ｐｈｙｓｉｃａｌ  Ｕｐｌｉｎｋ  Ｃｏｎｔｒｏｌ  Ｃｈａｎｎｅｌ）、ＰＵＳＣＨ（Ｐｈｙｓｉｃａｌ  Ｕｐｌｉｎｋ  Ｓｈａｒｅｄ  Ｃｈａｎｎｅｌ）及びＰＲＡＣＨ（Ｐｈｙｓｉｃａｌ  Ｒａｎｄｏｍ  Ａｃｃｅｓｓ  Ｃｈａｎｎｅｌ）を送信することが可能である。プライマリセルを変更する場合、移動機は、ハンドオーバを実行する必要がある。他方、セカンダリセルは、プライマリセルに追加されて移動機に設定されるセルである。セカンダリセルの追加及び削除は、ＲＲＣ（Ｒａｄｉｏ  Ｒｅｓｏｕｒｃｅ  Ｃｏｎｔｒｏｌ）のＲＲＣＣｏｎｎｅｃｔｉｏｎＲｅｃｏｎｆｉｇｕｒａｔｉｏｎにより実行される。
【先行技術文献】
【非特許文献】
【０００６】
【非特許文献１】３ＧＰＰ  ＴＳ  ３６．３３１  Ｖ１１．３．０（２０１３−０３）
【発明の概要】
【発明が解決しようとする課題】
【０００７】
このようにキャリアアグリゲーションは、移動機が高いスループットにより通信することを可能にする。一方、移動機が高いスループットを実現する際、移動機内のＣＰＵ（Ｃｅｎｔｒａｌ  Ｐｒｏｃｅｓｓｉｎｇ  Ｕｎｉｔ）やＲＦ（Ｒａｄｉｏ  Ｆｒｅｑｕｅｎｃｙ）回路に大きな処理負荷がかかることになる。一般に、ＣＰＵやＲＦ回路の処理負荷が大きくなると、ＣＰＵやＲＦ回路からの発熱によって移動機内及び移動機表面の温度が上昇する。この温度上昇によって、移動機内の他のデバイスや回路に不具合や故障を生じさせたり、あるいは、移動機表面に接触する他の物などに影響を及ぼす可能性がある。
【０００８】
上記問題点に鑑み、本発明の１つの課題は、キャリアアグリゲーション機能を有する移動機における温度を制御するための技術を提供することである。
【課題を解決するための手段】
【０００９】
上記課題を解決するため、本発明の１つの態様は、キャリアアグリゲーション機能を有する移動機であって、基地局との間で無線信号を送受信する送受信部と、当該移動機の温度を検知し、前記検知した温度が所定の停止閾値以上であるか判定する温度検知部と、前記基地局により提供されるプライマリセル及びセカンダリセルの無線品質を測定する無線品質測定部と、前記基地局によって当該移動機に設定されたプライマリセル及びセカンダリセルを制御するキャリアアグリゲーション制御部とを有し、前記検知した温度が所定の停止閾値以上であると前記温度検知部が判定した場合、前記キャリアアグリゲーション制御部は、前記設定されているセカンダリセルの利用を停止するためのセル制限処理を実行する移動機に関する。
【発明の効果】
【００１０】
本発明によると、キャリアアグリゲーション機能を有する移動機における温度を制御することができる。
【図面の簡単な説明】
【００１１】
【図１】図１は、本発明の一実施例による無線通信システムを示す概略図である。
【図２】図２は、本発明の一実施例による移動機の構成を示すブロック図である。
【図３】図３は、本発明の一実施例による移動機における通信制御方法を示すフロー図である。
【図４】図４は、本発明の一実施例によるセル制限処理を示すフロー図である。
【発明を実施するための形態】
【００１２】
以下、図面に基づいて本発明の実施の形態を説明する。
【００１３】
後述する本発明の実施例を概略すると、キャリアアグリゲーション通信を実行する移動機が移動機内及び／又は移動機表面の温度を検知し、検知された温度が所定の停止閾値以上であるか判定する。一実施例では、当該停止閾値は、移動機に不具合を生じさせる温度、ユーザの健康に有害でない温度、又はこれら２つの低い温度に設定されてもよい。検知した温度が所定の停止閾値以上である場合、移動機は、基地局によって当該移動機に設定されているセカンダリセルの利用を停止するためのセル制限処理を実行する。一実施例では、当該セル制限処理は、設定されているセカンダリセルを削除又は変更するよう基地局を促すことであってもよい。例えば、移動機は、当該セカンダリセルについて実際に測定された無線品質より低い測定値を基地局に報告してもよい。他の実施例では、セル制限処理は、当該セカンダリセルとの通信のための移動機における無線処理を停止することであってもよい。このセル制限処理によって移動機内及び／又は移動機表面の温度が十分低下した後、移動機は、セル制限処理を終了し、キャリアアグリゲーション機能を有効にする。
【００１４】
これにより、キャリアアグリゲーション機能の利用を制限することによって、移動機の処理負荷を軽減させることが可能となり、この結果、移動機の発熱を低下させることが可能になる。また、セル制限処理によって移動機の温度が十分低下した後、移動機が、キャリアアグリゲーション有効モードに迅速に復帰することが可能になる。
【００１５】
まず、図１を参照して、本発明の一実施例による無線通信システムを説明する。図１は、本発明の一実施例による無線通信システムを示す概略図である。
【００１６】
図１に示されるように、無線通信システム１０は、移動機１００と基地局２００とを有する。無線通信システム１０は、例えば、ＬＴＥ−Ａｄｖａｎｃｅｄシステムなど、キャリアアグリゲーション（ＣＡ）を利用した無線通信を実現する何れかの無線通信システムである。
【００１７】
移動機１００は、キャリアアグリゲーション機能を有し、基地局２００により設定されたプライマリセル（ＰＣｅｌｌ）と１以上のセカンダリセル（ＳＣｅｌｌ＿１，ＳＣｅｌｌ＿２）とを同時に用いて、基地局２００と通信することが可能である。
【００１８】
移動機１００は、例えば、携帯電話、スマートフォン、タブレット、モバイルルータなどの無線通信機能を備えた何れかの情報処理装置として実現される。典型的なハードウェア構成では、移動機１００は、プロセッサなどのＣＰＵ（Ｃｅｎｔｒａｌ  Ｐｒｏｃｅｓｓｉｎｇ  Ｕｎｉｔ）、ＲＡＭ（Ｒａｎｄｏｍ  Ａｃｃｅｓｓ  Ｍｅｍｏｒｙ）などのメモリ装置、ハードディスク装置などの補助記憶装置、無線信号を通信するための通信装置、ユーザと各種データ及び／又は指示をやりとりするためのインタフェース装置などから構成される。さらに、移動機１００は、移動機１００の温度を検知するための温度センサを有する。例えば、後述される移動機１００の各機能及び処理は、補助記憶装置に格納されているデータやプログラムをメモリ装置にロードし、ロードされたプログラムに従ってＣＰＵがデータを処理することによって実現される。典型的には、ユーザにより電源オンされると、メモリ装置に格納されている各種プログラムをプロセッサが実行することによって、移動機１００は、通信装置を介し基地局２００に位置登録（アタッチ）することによって基地局２００に在圏する。その後、ユーザがインタフェース装置に表示された画面を参照して所望の操作を入力すると、移動機１００は、ＲＲＣ（Ｒａｄｉｏ  Ｒｅｓｏｕｒｃｅ  Ｃｏｎｔｒｏｌ）接続処理などの接続処理を実行して基地局２００との接続を確立し、基地局２００との通信を介し要求された処理をユーザに提供する。
【００１９】
基地局２００は、プライマリセルと１以上のセカンダリセルとを提供し、キャリアアグリゲーション通信方式に従ってこれら複数のセルを同時に用いて移動機１００と通信する。図示された実施例では、移動機１００が、１つの基地局２００により提供されるプライマリセルＰＣｅｌｌとセカンダリセルＳＣｅｌｌ＿１，ＳＣｅｌｌ＿２とを同時に用いて、基地局２００と通信している（基地局内キャリアアグリゲーション）。しかしながら、本発明はこれに限定されるものでなく、例えば、異なる基地局２００により提供されるプライマリセルと１以上のセカンダリセルとを同時に用いて、これら複数の基地局２００と通信してもよい（基地局間キャリアアグリゲーション）。
【００２０】
次に、図２を参照して、本発明の一実施例による移動機の構成を説明する。図２は、本発明の一実施例による移動機の構成を示すブロック図である。
【００２１】
移動機１００は、キャリアアグリゲーション機能を有し、図２に示されるように、送受信部１１０、温度検知部１２０、無線品質測定部１３０及びキャリアアグリゲーション制御部１４０を有する。
【００２２】
送受信部１１０は、基地局２００との間で各種無線信号を送受信する。例えば、送受信部１１０は、送信情報を無線信号に変換するための符号化処理、変調処理、多重化処理などの各種無線処理を実行することによって無線信号を生成し、基地局２００により割り当てられた無線リソースを用いて生成した無線信号を基地局２００に送信する。さらに、送受信部１１０は、基地局２００により割り当てられた無線リソースによって基地局２００から無線信号を受信し、受信した無線信号に対して逆多重化処理、復調処理、復号化処理などの各種無線処理を実行することによって受信情報を抽出する。キャリアアグリゲーション通信方式では、送受信部１１０は、基地局２００により設定されたプライマリセルとセカンダリセルとを同時に利用して、基地局２００との間で無線信号をやりとりする。
【００２３】
温度検知部１２０は、移動機１００内及び／又は表面の温度を検知し、検知した温度が所定の停止閾値以上であるか判定する。検知した温度が停止閾値以上であると判定すると、温度検知部１２０は、検知した温度が停止閾値以上であることをキャリアアグリゲーション制御部１４０に通知する。
【００２４】
一実施例では、当該停止閾値は、移動機１００に不具合を生じさせる温度に設定されてもよい。一般に、移動機１００の温度が上昇すると、移動機１００の構成要素の動作に不具合が生じたり、構成要素の故障の原因となる。他の実施例では、当該停止閾値は、ユーザの健康に有害でない温度に設定されてもよい。例えば、４５度前後の比較的低温な熱源であっても、ユーザが当該熱源に長時間直接接触した場合、ユーザに低温熱傷を引き起こす可能性があるためである。さらなる他の実施例では、当該停止温度は、移動機１００に不具合を生じさせる温度又はユーザの健康に有害でない温度の低い温度に設定されてもよい。
【００２５】
検知した温度が当該停止閾値以上であることを通知したことに応答して、キャリアアグリゲーション制御部１４０が後述するような移動機１００の温度を低下させるためのセル制限処理を実行した後、温度検知部１２０は、移動機１００の温度が十分低下したか判定する。一実施例では、温度検知部１２０は、移動機１００の温度を検知し、検知した温度が所定の復帰閾値以下であるか判定する。後述するように、キャリアアグリゲーション制御部１４０は、移動機１００の温度が十分低下するまで、新たなセカンダリセルが基地局２００により設定されることを回避するため、基地局２００により提供されているセカンダリセルに対する無線品質の測定結果を基地局２００に送信することを留保する。検知した温度が十分低下したと判定すると、温度検知部１２０は、検知した温度が十分低下したことをキャリアアグリゲーション制御部１４０に通知する。当該通知を受信すると、キャリアアグリゲーション制御部１４０は、セル制限処理を終了し、上述したようなセルの全て又は一部の利用を制限するセル制限モードから、セルの全てが利用可能なキャリアアグリゲーション（ＣＡ）有効モードに復帰する。
【００２６】
一実施例では、この復帰閾値は、停止閾値より所定の差分だけ低い温度に設定されてもよい。当該差分は、例えば、移動機１００が、ＣＡ有効モードによりキャリアアグリゲーションを積極的に利用して移動機１００の温度がある程度上昇しても、停止閾値に到達しない温度などに設定されてもよい。具体的には、当該差分は、移動機１００がキャリアアグリゲーションを所定時間（１０分、３０分、１時間など）連続利用しても、移動機１００の温度が停止閾値まで到達しない温度に設定されてもよい。
【００２７】
無線品質測定部１３０は、基地局２００により提供されるプライマリセル及びセカンダリセルの無線品質を測定し、測定したプライマリセル及びセカンダリセルの無線品質をキャリアアグリゲーション制御部１４０に通知する。例えば、無線品質は、プライマリセル及びセカンダリセルから受信した電波の電力レベル又は電波強度であってもよい。
【００２８】
キャリアアグリゲーション制御部１４０は、基地局２００によって移動機１００に設定されたプライマリセル及びセカンダリセルを制御する。例えば、キャリアアグリゲーション制御部１４０は、基地局２００により提供されているプライマリセル及び１以上のセカンダリセルの無線状態をモニタリングして基地局２００に報告したり、あるいは、基地局２００によって移動機１００に設定又は割り当てられたプライマリセル及び／又はセカンダリセルの無線リソースを管理する。温度検知部１２０から移動機１００の温度が所定の停止閾値以上であると通知されると、キャリアアグリゲーション制御部１４０は、移動機１００に設定されているセカンダリセルの利用を停止するためのセル制限処理を実行する。
【００２９】
一実施例では、当該セル制限処理は、移動機１００に現在設定されているセカンダリセルを基地局２００が削除又は変更することを促すための処理である。当該処理に応答して、基地局２００は、例えば、移動機１００に現在設定されているセカンダリセルを割当解除することを通知する。これにより、当該セカンダリセルに係る移動機１００の処理が解消され、移動機１００の通信装置に対する負荷及び／又はプロセッサに対する負荷を軽減させることが可能となる。この結果、移動機１００の温度を低下させることが可能になる。
【００３０】
具体的には、検知した温度が所定の停止閾値以上であると温度検知部１２０が判定した場合、キャリアアグリゲーション制御部１４０は、無線品質測定部１３０により測定された無線品質より低い測定値を基地局２００に報告するよう送受信部１１０に指示する。なお、キャリアアグリゲーション制御部１４０は、基地局２００からセカンダリセルを削除又は変更するための指示を受信するまで、無線品質測定部１３０の実際の測定結果より低い測定値を基地局２００に報告するよう送受信部１１０に指示し続けてもよい。
【００３１】
無線通信システム１０がＬＴＥ―Ａｄｖａｎｃｅｄシステムである場合、当該測定値は、ＭｅａｓｕｒｅｍｅｎｔＲｅｐｏｒｔとして基地局２００に報告され、キャリアアグリゲーション制御部１４０は、無線品質測定部１３０の実際の測定結果より低い測定値をＭｅａｓｕｒｅｍｅｎｔＲｅｐｏｒｔとして基地局２００に報告するよう送受信部１１０に指示する。当該ＭｅａｓｕｒｅｍｅｎｔＲｅｐｏｒｔを受信すると、基地局２００は、当該セカンダリセルを割当解除するため（必要に応じて他のセカンダリセルを設定するため）、ＲＲＣＣｏｎｎｅｃｔｉｏｎＲｅｃｏｎｆｉｇｕｒａｔｉｏｎメッセージを移動機１００に送信することになる。
【００３２】
ここで、複数のセカンダリセルが移動機１００に割り当てられている場合、キャリアアグリゲーション制御部１４０は、割り当てられているセカンダリセルの１以上を選択し、選択されたセカンダリセルに対してセル制限処理を実行してもよい。このとき、キャリアアグリゲーション制御部１４０は、各セカンダリセルとの通信に係る負荷を確認し、通信負荷が最大であるセカンダリセルに対してセル制限処理を実行してもよい。通信負荷が最大であるセカンダリセルが割当解除されることにより、迅速な温度低下を実現することが可能になる。
【００３３】
一実施例では、キャリアアグリゲーション制御部１４０は、測定されたセカンダリセルの電力レベル又は電波強度が所定の閾値以下であると基地局２００に報告するよう送受信部１１０に指示してもよい。典型的には、当該閾値は、当該セカンダリセルの割当てを解除すべきであると基地局２００が判定する電力レベルに設定されてもよい。これにより、現在設定されているセカンダリセルが割当解除され、当該セカンダリセルに係る移動機１００の処理が解消される。これにより、移動機１００の通信装置に対する負荷及び／又はプロセッサに対する負荷を軽減させることが可能となり、移動機１００の温度を低下させることが可能になる。
【００３４】
他の実施例では、キャリアアグリゲーション制御部１４０は、プライマリセルとセカンダリセルとを入れ替えるためのハンドオーバを促すため、測定されたプライマリセルの電力レベル又は電波強度が所定の閾値以下であると基地局２００に報告するよう送受信部１１０に指示してもよい。当該実施例は、移動機１００に現在設定されているセカンダリセルがプライマリセルより相対的に狭帯域であり（例えば、プライマリセルが１０ＭＨｚであり、セカンダリセルが５ＭＨｚであるなど）、セカンダリセルの割当解除による移動機１００の温度の十分な低下が見込めないケース、あるいはプライマリセルとセカンダリセルとを入れ替えることにより移動機１００の十分な温度低下が見込めるケースなどに効果的である。このように、キャリアアグリゲーション制御部１４０は、プライマリセルとの通信に係る負荷とセカンダリセルとの通信に係る負荷とを比較し、当該比較結果に基づきプライマリセルとセカンダリセルとの何れの電力レベルを報告するか決定してもよい。
【００３５】
他の実施例では、当該セル制限処理は、移動機１００に現在設定されているセカンダリセルとの通信のための無線処理を送受信部１１０に停止させるための処理である。すなわち、キャリアアグリゲーション制御部１４０は、当該セカンダリセルとの通信処理を実行している通信装置の動作を停止させる。当該処理によって、当該セカンダリセルに係る移動機１００の処理が解消され、移動機１００の通信装置に対する負荷及び／又はプロセッサに対する負荷を軽減させることが可能となる。この結果、移動機１００の温度を低下させることが可能になる。
【００３６】
上述したセル制限処理によって移動機１００の温度が十分低下するまで、キャリアアグリゲーション制御部１４０は、基地局２００により提供されているセカンダリセルに対して測定された無線品質を基地局２００に送信することを留保する。これにより、移動機１００の温度が十分低下するまで、新たなセカンダリセルが基地局２００により設定されることを回避することが可能になる。検知した温度が十分低下したことを温度検知部１２０から通知されると、すなわち、移動機１００の温度が所定の復帰閾値以下であると温度検知部１２０から通知されると、キャリアアグリゲーション制御部１４０は、セルの全て又は一部の利用を制限するセル制限モードから、セルの全てが利用可能なＣＡ有効モードに復帰する。
【００３７】
ＣＡ有効モードに復帰すると、キャリアアグリゲーション制御部１４０は、ＬＴＥ−Ａｄｖａｎｃｅｄ規格に規定された送信契機などの所定の送信契機に従って、無線品質測定部１３０により測定された基地局２００により提供されているプライマリセル及びセカンダリセルの測定結果、隣接基地局により提供されているセルの測定結果などを基地局２００に報告する。
【００３８】
次に、図３〜４を参照して、本発明の一実施例による移動機における通信制御方法を説明する。図３は、本発明の一実施例による移動機における通信制御方法を示すフロー図である。
【００３９】
当該通信制御処理は、例えば、ユーザが移動機１００の電源をオンしたときなどに開始される。図３に示されるように、ステップＳ１０１において、移動機１００は、温度センサを用いて移動機１００内及び／又は表面の温度を検知する。当該フローでは便宜上、当該温度検知がステップＳ１０１において実行されるよう図示されているが、移動機１００は、動作中は連続的又は定期的に移動機１００の温度を検知する。
【００４０】
ステップＳ１０２において、移動機１００は、検知した温度が所定の停止閾値以上であるか判定する。当該停止閾値は、例えば、移動機１００に不具合を生じさせる温度、ユーザの健康に有害でない温度、又は移動機１００に不具合を生じさせる温度又はユーザの健康に有害でない温度の低い温度に設定されてもよい。検知した温度が所定の停止閾値以上である場合（Ｓ１０２：Ｙ）、当該フローはステップＳ１０３に移行する。他方、検知した温度が所定の停止閾値未満である場合（Ｓ１０２：Ｎ）、当該フローはステップＳ１０１に戻り、検知した温度が所定の停止閾値以上になるまで、移動機１００は、ステップＳ１０１，Ｓ１０２を繰り返す。
【００４１】
ステップＳ１０３において、移動機１００は、基地局２００によって移動機１００に設定されているセカンダリセルの利用を停止するためのセル制限処理を実行する。一実施例では、図４を参照してより詳細に説明されるように、移動機１００は、現在設定されているセカンダリセルを基地局２００が削除又は変更することを促してもよい。他の実施例では、移動機１００は、当該セカンダリセルとの通信のための移動機１００の通信装置における無線処理を停止してもよい。
【００４２】
ステップＳ１０４において、移動機１００は、移動機１００の温度が所定の復帰閾値以下に低下したか判定する。当該復帰閾値は、例えば、ステップＳ１０２の停止閾値より所定の差分だけ低い温度に設定されてもよい。当該差分は、移動機１００がキャリアアグリゲーションを利用することによって移動機１００の温度が上昇しても、停止閾値に到達しない温度などに設定されてもよい。例えば、当該差分は、移動機１００がキャリアアグリゲーションを所定時間連続利用しても、移動機１００の温度が停止閾値まで到達しない温度に設定されてもよい。移動機１００の温度が所定の復帰閾値以下に低下した場合（Ｓ１０４：Ｙ）、当該フローは、ステップＳ１０５に移行する。
【００４３】
他方、移動機１００の温度が所定の復帰閾値以下に低下していない場合（Ｓ１０４：Ｎ）、検知した温度が所定の復帰閾値以下に低下するまで待機する。あるいは、他の実施例では、移動機１００の温度が所定の復帰閾値以下に低下していない場合（Ｓ１０４：Ｎ）、当該フローはステップＳ１０３に戻って、移動機１００は、さらなるセル制限処理を実行してもよい。例えば、複数のセカンダリセルが移動機１００に設定されている場合、移動機１００は、すでにセル制限処理が実行されたセカンダリセルに加えて、他のセカンダリセルに対してセル制限処理を実行してもよい。当該他のセカンダリセルは、すでにセル制限処理が実行されたセカンダリセルの次に通信負荷が大きなセカンダリセルであってもよい。また、セル制限処理が実行済みの他のセカンダリセルがない場合、移動機１００は、プライマリセルの無線品質が他のセル又は基地局へのハンドオーバを起動させる所定の閾値以下であると基地局２００に報告するなど、プライマリセルに対するセル制限処理を実行してもよい。
【００４４】
ステップＳ１０５において、移動機１００は、セル制限処理を終了する。その後、移動機は、セルの全て又は一部の利用を制限するセル制限モードから、セルの全てが利用可能なＣＡ有効モードに復帰する。ＣＡ有効モードに復帰すると、移動機１００は、ＬＴＥ−Ａｄｖａｎｃｅｄ規格に規定された送信契機などの所定の送信契機に従って、基地局２００により提供されているプライマリセル及びセカンダリセルの測定結果、隣接基地局により提供されているセルの測定結果などを基地局２００に報告し、報告した測定結果に応じて基地局２００からセカンダリセルの追加、削除及び／又は変更指示や他の基地局へのハンドオーバ指示を受信する。
【００４５】
図４は、本発明の一実施例によるセル制限処理を示すフロー図である。当該セル制限処理は、図３のステップＳ１０３において、現在設定されているセカンダリセルを基地局２００が削除又は変更することを促す処理に対応する。なお、図示されたセル制限処理は、無線通信システム１０がＬＴＥ−Ａｄｖａｎｃｅｄシステムであるケースに関して詳述される。
【００４６】
ステップＳ２０１において、移動機１００は、現在設定されているセカンダリセルについて、測定された無線品質より低い測定値を示すＭｅａｓｕｒｅｍｅｎｔＲｅｐｏｒｔを基地局２００に報告する。
【００４７】
ステップＳ２０２において、移動機１００は、ステップＳ２０１において送信したＭｅａｓｕｒｅｍｅｎｔＲｅｐｏｒｔに応答して、ＲＲＣＣｏｎｎｅｃｔｉｏｎＲｅｃｏｎｆｉｇｕｒａｔｉｏｎを基地局２００から受信したか判定する。ＲＲＣＣｏｎｎｅｃｔｉｏｎＲｅｃｏｎｆｉｇｕｒａｔｉｏｎを基地局２００から受信した場合（Ｓ２０２：Ｙ）、当該フローはステップＳ２０３に移行する。他方、ＲＲＣＣｏｎｎｅｃｔｉｏｎＲｅｃｏｎｆｉｇｕｒａｔｉｏｎを基地局２００から受信していない場合（Ｓ２０２：Ｎ）、当該フローはステップＳ２０１に戻り、移動機１００は、ＭｅａｓｕｒｅｍｅｎｔＲｅｐｏｒｔを基地局２００に再送する。
【００４８】
ステップＳ２０３において、移動機１００は、受信したＲＲＣＣｏｎｎｅｃｔｉｏｎＲｅｃｏｎｆｉｇｕｒａｔｉｏｎにＳＣｅｌｌＲｅｌｅａｓｅＬｉｓｔ又はＳＣｅｌｌＡｄｄＭｏｄＬｉｓｔが含まれているか判定する。ＳＣｅｌｌＲｅｌｅａｓｅＬｉｓｔには、割当解除又は解放すべきセカンダリセルが記述され、ステップＳ２０１において実際の測定結果より低い測定値が報告されたセカンダリセルが記述されている。また、ＳＣｅｌｌＡｄｄＭｏｄＬｉｓｔには、移動機１００に設定されたセカンダリセルが記述され、割当解除されたセカンダリセルの代わりに他のセカンダリセルが割り当てられる場合、当該セカンダリセルが記述される。受信したＲＲＣＣｏｎｎｅｃｔｉｏｎＲｅｃｏｎｆｉｇｕｒａｔｉｏｎにＳＣｅｌｌＲｅｌｅａｓｅＬｉｓｔ又はＳＣｅｌｌＡｄｄＭｏｄＬｉｓｔが含まれている場合（Ｓ２０３：Ｙ）、当該フローはステップＳ２０４に移行する。他方、受信したＲＲＣＣｏｎｎｅｃｔｉｏｎＲｅｃｏｎｆｉｇｕｒａｔｉｏｎにＳＣｅｌｌＲｅｌｅａｓｅＬｉｓｔ又はＳＣｅｌｌＡｄｄＭｏｄＬｉｓｔが含まれていない場合（Ｓ２０３：Ｎ）、当該フローはステップＳ２０１に戻り、移動機１００は、ＭｅａｓｕｒｅｍｅｎｔＲｅｐｏｒｔを基地局２００に再送する。
【００４９】
ステップＳ２０４において、移動機１００は、受信したＳＣｅｌｌＲｅｌｅａｓｅＬｉｓｔ及び／又はＳＣｅｌｌＡｄｄＭｏｄＬｉｓｔに従って、セカンダリセルを削除又は割当変更する。
【００５０】
以上、本発明の実施例について詳述したが、本発明は上述した特定の実施形態に限定されるものではなく、特許請求の範囲に記載された本発明の要旨の範囲内において、種々の変形・変更が可能である。
【符号の説明】
【００５１】
１０  無線通信システム
１００  移動機
１１０  送受信部
１２０  温度検知部
１３０  無線品質測定部
１４０  キャリアアグリゲーション制御部
２００  基地局
【図１】
2014216909.tif 000003
【図２】
2014216909.tif 000004
【図３】
2014216909.tif 000005
【図４】
2014216909.tif 000006